(57)【要約】【課題】沖縄本島南部に分布する泥灰岩（海シルト、クチャ）の粘土は極微細な鉱物粒子からなり、強い吸着性により皮膚の汚れ成分や歯の汚れに付着し、水洗で簡単に落とせる洗浄効果を持つ特性の利用と、この鉱物微細粒子の持つ比較的強い荷電を自然に有する性質を生かした資材と製造方法を実現する。【解決手段】この粘土鉱物粒子の内、より荷電の明瞭な粒子を電気泳動装置で粒子を凝集させ沈澱を早める目的で電気泳動による沈降促進をさせる。又この電気泳動の結果として水の還元化を促進することができる。電解質を数パーセント添加して湿布薬などの製品を作製する方法によって、イオン交換性、電気伝導性を高めて鎮痛効果をより強くする新しいタイプの鎮痛湿布薬の開発が出来た。この鉱物粒子の吸着性を利用して顔面などの皮膚パック用化粧品、皮膚用クレンジングジェルや頭髪用シャンプーの外、歯磨き、台所用の洗剤などを製造することも出来る。粘土粒子懸濁液に電気泳動装置で通電することで強い還元性が発揮される事が分かり、これを応用した還元水製造が可能となった。【 選択図】              図１０【特許請求の範囲】
【請求項１】
海シルトの陰性に帯電した微細粒子の電気化学的特性により電気的吸着性が発揮され、塗布、吸着後の水洗によって陽性荷電を持つ有機物等で汚染されている表面を洗浄する性質を利用してなることを特徴とする歯磨きその他の洗剤。
【請求項２】
海シルトの微細粒子を含む粘土質の層を設けて、荷電によりイオン発生効果を持つ性質を利用してなることを特徴とする壁紙その他の建築素材。
【請求項３】
海シルトの微細粒子に水を加えて粘調な粘土とした状態で皮膚表面に塗布し、アルミニウム、亜鉛、金、銀などの金属で覆うと、金属側が陰性に荷電し対側に対して電圧を生じる性質を利用してなることを特徴とする細胞賦活剤、鎮痛湿布剤、各種外皮用剤又は美容料。
【請求項４】
海シルトから分離採取した粘土鉱物に水分を加えて粘調な粘土状にし、食塩や塩化カリウムその他の電解質を水分に加える方法でイオン交換性および電導性を高めてなることを特徴とする請求項３に記載の細胞賦活剤又は鎮痛湿布剤。
【請求項５】
沖縄本島南部地域の特殊土壌とされる泥灰岩の海シルト中の微細粒子の表面が陰性の荷電を有していることを利用して、水懸濁液に電気泳動法で電流を流して超微細な粒子部分の凝集とそれによる沈殿の促進を行なうことを特徴とする超微細粘土鉱物の製造方法。
【請求項６】
沖縄本島南部地域の特殊土壌とされる泥灰岩の海シルト中から所望の粒子サイズを分離採取するために、複数の沈殿槽を設けると共に、前段の沈殿槽中の所望の水位に採取口を設定し、採取した海シルトを後段の沈殿槽に移送することを特徴とする超微細粘土鉱物の製造方法。
【発明の詳細な説明】
【技術分野】
【０００１】
本発明は、沖縄本島南部のみに産出する島尻泥岩（海シルト）の微細粒子部分を電気泳動法で速やかに凝集、沈殿させて採取すると同時に陰極側に集積する不純物や混入物の分離除去による精製方法と、これを原料として当該粘土鉱物の微細粒子の持つ静電気による吸着性を利用した化粧品、ハップ剤、吸着性による洗浄剤などとその製造方法に関する。
【背景技術】
【０００２】
本発明品は、沖縄本島南部に分布する泥灰岩（海シルト）を原料とするが、本発明の発明者が先に提案した特開2002-29924号に記載のとおり、その化学的組成は雲母（48〜56％）、スメクタイト（28〜35％）、クロライトおよびカオリナイト（14〜18％）などからなる。
【０００３】
ところが、特願2003−278656号に記載のとおり、前記の泥岩微細粒子の特異な特質に着目し、種々の試験を行なっている間に、泥岩微細粒子を用いた粘土パックを皮膚に施した場合、パックの表面と隣接する皮膚との間にも数10ｍＶの電圧が検知された。腱鞘炎や関節炎などの場合、強い疼痛のため伸展や屈曲が困難な症状が現れるが、異常の存在する手指や関節などにこの粘土パックを施したところ、痛みが即座に薄れ、手指や関節の伸展や屈曲も可能となる効果が現れた。このように、沖縄本島南部に分布する島尻泥岩（方言名はクチャ）の粘土は比較的強い静電気を発生し、この粘土パックを皮膚に施すことで、鎮痛作用や代謝促進効果などの顕著な治療効果があることが確認された。
【特許文献１】特開2002-29924
【特許文献２】特願2003−278656
【発明の開示】
【発明が解決しようとする課題】
【０００４】
前記のような強い吸着性により皮膚の汚れ成分や歯の汚れに付着し、水洗で簡単に落とせる洗浄効果を持つ。この吸着の機序には、この鉱物微細粒子の持つ高い陽イオン交換容量が関連しており、比較的強い荷電を自然に有することが分った。そこでこの粘土鉱物粒子の内、より荷電の明瞭な粒子を電気泳動装置による通電で選択的に採取し、製品の特長を増強させる製法を実現する。
【０００５】
本発明の技術的課題は、このような問題に着目し、海シルトの微細粒子の特性をより効果的に発揮できる粘土微細粒子を実現することにある。また、この粘土で作ったパックを皮膚に施すことで電圧が生じ体内電流が流れ、瞬間的に鎮痛効果を示す事も分った。この静電気発生の特性をより有効に引き出す工夫として電解質を加えることで新しいタイプの鎮痛湿布薬の開発が出来た。また粘土粒子自体がマイナスに荷電しており、溶液を還元化する作用を持つだけでなく、電圧・電流を流すことで溶液がより強く還元性を発揮する事が分かり、マイナスイオン発生効果の応用範囲が拡大した。
【０００６】
この泥灰岩を構成している主な粘土鉱物はいずれも陽イオン交換容量（CEC ）の高い鉱物として知られており、これら鉱物の表面に陰性の電荷を有するので、これを原料とする外皮用剤や美容料が製造出来る外に、歯磨き、貴金属類や台所用等の洗剤等とその吸着洗浄剤の製造方法、並びに当該粘土鉱物が有する荷電を利用した身体深部組織への静電気治療の効果を持つ医薬品の製造、摘出臓器の細胞の生存時間を延長させる組織保存材や細胞培地、還元水等とその製造、更には陰イオンを発生する性質を特徴とする製品とその製造方法などが本発明に含まれる。
【課題を解決するための手段】
【０００７】
本発明の技術的課題は次のような手段によって解決される。請求項１は、海シルトの陰性に帯電した微細粒子の電気化学的特性により電気的吸着性が発揮され、塗布、吸着後の水洗によって陽性荷電を持つ有機物等で汚染されている表面を洗浄する性質を利用してなることを特徴とする歯磨きその他の洗剤である。このように、海シルトの陰性に帯電した微細粒子は、有機物等で汚染されている表面を洗浄する性質を有するため、海シルトの微細粒子を利用して、歯磨きその他の洗剤を実現できる。表面洗浄剤としては、歯磨きに止まらず、台所などの水周りや器具洗浄剤、貴金属その他の鏡面磨き等に強い効果を発揮させることが出来る。なお、洗浄と同時に脱臭効果も発揮する。
【０００８】
請求項２は、海シルトの微細粒子を含む粘土質の層を設けて、荷電によりイオン発生効果を持つ性質を利用してなることを特徴とする壁紙その他の建築素材である。微細な粘土粒子は、西洋紙の素材として製造に欠かせないが、本発明の海シルトの微細な鉱物粒子は静電気を発生するので、この特長を利用して陰イオンを放出する紙を製造する事が出来る。この紙を部屋の壁紙などに用いると、マイナスイオン発生効果により脱臭効果や空気清浄化が可能になる。なお、海シルト粒子の懸濁液を電気泳動すると還元性によってｐＨ10程度の塩基性となり、健康に良いとされるアルカリイオン水となる性質を有しており、これを利用した還元水製造にも応用できる。
【０００９】
請求項３は、海シルトの微細粒子に水を加えて粘調な粘土とした状態で皮膚表面に塗布し、アルミニウム、亜鉛、金、銀などの金属で覆うと、金属側が陰性に荷電し対側に対して電圧を生じる性質を利用してなることを特徴とする細胞賦活剤、鎮痛湿布剤、各種外皮用剤又は美容料である。このように、湿布で鎮痛効果を上げる場合は、アルミ箔やアルミニウム蒸着をしたフィルムや布で粘土を覆うことで電圧を高める効果が約10倍に上がる。湿布に限らず、組織培養などにおける細胞代謝賦活剤でも同様である。海シルト微細粒子の表面に陰性の電荷を有するのを利用して、各種の外皮用剤や美容料の製造も可能である。
【００１０】
請求項４は、海シルトから分離採取した粘土鉱物に水分を加えて粘調な粘土状にし、食塩や塩化カリウムその他の電解質を水分に加える方法でイオン交換性および電導性を高めてなることを特徴とする請求項３に記載の細胞賦活剤、鎮痛湿布剤、各種外皮用剤又は美容料である。このように、塩類などの電解質を加えて電導性を高くすることで、電気的作用がより高まる。したがって特に、粘着性を有する基剤を入れて膏剤等を製造する場合に有効である。
【００１１】
請求項５は、沖縄本島南部地域の特殊土壌とされる泥灰岩の海シルト中の微細粒子の表面が陰性の荷電を有していることを利用して、水懸濁液に電気泳動法で電流を流して超微細な粒子部分の凝集とそれによる沈殿の促進を行なうことを特徴とする超微細粘土鉱物の製造方法である。沖縄本島南部地域の特殊土壌とされるシルト岩の構成鉱物粒子の水懸濁液を作成し、この中の約５ミクロン以下の微細粒子をフィルターで濾過・分別してから、沈殿によって微細粒子分画を採取する水簸法に準じた方法を用いる。しかし、荷電を有する超微細粒子は水中での沈殿速度が遅く長い作業時間が掛かり、フィルタープレスを使用するとフィルターから漏れるサイズのため作業時間短縮と微細粒子を捕集する目的で、請求項５のように、電気泳動法で電圧をかけて電流を流し微細粒子の凝集と沈降速度を速める方法で解決させる。なお、電気泳動法で電圧を印加する際に、同時に陰極側に泳動で集積する異物と結合した部分の分離をすることによって、粒子サイズによる分別精製により粒子径別に分離・採取することと異物と結合した部分を分離除去することもできる。
【００１２】
請求項６は、沖縄本島南部地域の特殊土壌とされる泥灰岩の海シルト中から所望の粒子サイズを分離採取するために、複数の沈殿槽を設けると共に、前段の沈殿槽中の所望の水位に採取口を設定し、採取した海シルトを後段の沈殿槽に移送することを特徴とする超微細粘土鉱物の製造方法である。沈殿槽中に各種粒子サイズの海シルトを含む水懸濁液を入れて静置すると、粒子サイズの大きい粒子ほど沈降速度が速く、粒子サイズの小さい粒子ほど沈降しにくい。したがって、沈殿槽中の下寄りに採取口を設置すると、粒子サイズの大きな粒子が採取でき、水面寄りに採取口を設置すると、粒子サイズのより小さな粒子を採取して、次の段の沈殿槽に移送することができる。後段の沈殿槽では、請求項５に記載の電気泳動法で電圧を印加すれば、有機物などの汚染物の除去処理が可能である。
【発明の効果】
【００１３】
請求項１のように、海シルトの陰性に帯電した微細粒子は、洗浄作用を有するため、海シルトの微細粒子を利用して、歯磨きその他の洗剤を実現でき、同時に脱臭効果も発揮する。また、請求項２のように、海シルトの微細粒子を含む粘土質の層を設けてなる素材を部屋の壁紙などに用いると、マイナスイオン発生効果により脱臭効果や空気清浄化が可能になる。
【００１４】
請求項３のように、アルミ箔やアルミニウム蒸着をしたフィルムや布で粘土を覆うことで電圧を高める効果が約10倍に上がるので、湿布で鎮痛効果を上げる場合や組織培養などのような細胞代謝賦活剤に有効である。さらに、海シルト微細粒子の表面に陰性の電荷を有するのを利用して、各種の外皮用剤や美容料の製造も可能である。また、請求項４のように、塩類や保湿料を加えて電導性を高くすることで、より効果が高まるので、粘着性を有する基剤を入れた膏剤などに有効である。
【００１５】
化粧品として開発された皮膚パックに、予想以上に強力な洗浄効果やニキビ消失などの効果の存在が認められ、この効果の主要な作用機序は粘土鉱物が超微粒子のため有する物理化学的吸着性と、微細粒子の結晶表面に存在する静電気によるイオン交換性によるものであり、この目的で使用された前例のない効果である。
【００１６】
そこでこの効果をより強く引き出すことで応用製品をより広く開発出来る。鎮痛薬を用いないで強い鎮痛効果を示す膏剤は今までに無く、薬害もなく安全で優れた製品となる可能性がある。現在市販されている痛み止めの湿布薬の組成は樹脂系の素材と粘着性膏剤、鎮痛剤などを混合して製造された製品であるため、これとの共通性はない。実際に腱鞘炎や変形性関節症などの痛みを伴った患部に使用して著効を見ているが、在来の湿布に比較すると、この製品には明らかに速効性を持つ優れた鎮痛効果が認められた。
【００１７】
以上のような洗剤や建築素材、細胞賦活剤、皮膚貼付剤などを製造するには、海シルトの超微細粒子を効率的に量産する必要があるが、荷電を有する超微細粒子は水中での沈殿速度が遅く長い作業時間が掛かり、フィルタープレスを使用するとフィルターから漏れを生じる。そこで請求項５のように、作業時間短縮と微細粒子を捕集する目的で、電気泳動法で電圧をかけて電流を流し、海シルトの微細粒子の凝集と沈降速度を速める方法で解決できる。なお、電気泳動法で電圧を印加する際に、同時に陰極側に泳動で集積する異物と結合した部分の分離除去で精製も可能となる。
【００１８】
所望の粒子サイズを捕集するには、沈殿槽を複数段にして、粒子サイズによる沈降速度の違いと電気泳動法を併用するとより時間短縮可能となる。この際、請求項６のように、前段の沈殿槽中の上位に採取口を設定すれば、粒子サイズのより小さな粒子を採取でき、下位に採取口を設定すれば、粒子サイズのより大きな粒子を採取できる。したがって、採取口の設置高さに応じて、任意の粒子サイズを採取できる。
【発明を実施するための最良の形態】
【００１９】
次に本発明による荷電粘土鉱物粒子とその製造方法が実際上どのように具体化されるか実施形態を説明する。この泥灰岩（クチャ）の主体は粘土鉱物で、5 ミクロン以下の微細粒子が約６０から８０％程度を占めるため、古くから行われてきた水簸法とフィルターを使って濃縮する分離技術が精製法として使われている。しかし、この粘土粒子には極度に細かいサブミクロンレベルの微粒子も多く、フィルタープレスの濾布から漏れる傾向がある。そのため、従来の技術としては塩酸などで酸性にして凝集させた後に濾過する方法が用いられている。
【００２０】
しかし、本発明の場合は、この微細粒子を沈殿させる手法として、酸を添加することなく、電気泳動法で電気を流して荷電した鉱物微粒子を凝集沈殿させる方法を開発した。この際には溶液は還元されるため表面活性を有する塩基性を示す。図１から図４は電気泳動による粘土微細粒子の沈殿実験の様子である。まず、図１のように、２本の透明容器に粘土懸濁液を入れておく。図１は通電開始前の状況である。通電開始して１時間経過すると、図２のように、電気泳動の作用を受けて沈殿が促進された状態の粘土懸濁液の状況で、下部に鉱物微粒子が沈殿し、その分だけ全体的に透明度が増している。
【００２１】
図３は、電気泳動開始３時間後の粘土微細粒子の沈殿状況で、全体的に透明度がさらに増し、その分だけ底部の沈殿量が増えている。透明度が増し浮遊微粒子が残り少なくなると、電気泳動を停止する。図４は、電気泳動の停止後20時間後の粘土懸濁液の沈殿状況で、全体的に完全な透明状態になっている。以上のように、粘土懸濁液を電気泳動によって凝集・沈殿させると、5 ミクロン以下の微細粒子であっても、比較的短時間で凝集・沈殿できる。
【００２２】
従来の化粧品関係では、皮膚に適用する粘土系化粧料や美容パック料などの場合、あくまでも直接触れる表皮細胞や毛髪、皮膚組織に対する粘土内に含まれるミネラルなどの栄養効果を期待したものである。それに対し、本発明の素材は、今迄の発明では適用されていないほど微細な粒子部分（粒度）を用いることで、その物理的吸着作用と荷電による効果を利用出来る化粧品や歯磨き、台所用の洗剤等が製造出来る。例えば顔面などの皮膚パック用化粧品や皮膚用クレンジングジェル、頭髪用シャンプーなどにも適用できる。
【００２３】
更に、湿布剤などの膏薬では皮膚より深部に位置する皮膚付属器、末梢神経、筋組織や骨関節組織や体腔内臓器に対して、皮膚表面から電圧をかけることで生理作用を及ぼすことが出来、細胞活性の賦活作用、感覚神経の作動電流への影響による鎮痛作用、細胞の代謝亢進などの機序を介する効果を利用できるという特徴がある。図５、図６はこのような作用を確認している状態で、皮膚から流れる電気の状態を検証している。
【００２４】
すなわち、図１〜図４のようにして電気泳動によって凝集・沈殿させてなる粘土を手の甲部の皮膚に塗布してから、その上に図５、６のように電極を重ねた状態で電圧計を接続すると、粘土側から手掌側の電極に向かって電圧が生じることが確認できる。電極には２枚ともステンレスを使用した。図５は手の甲に粘土を約１〜２ｍｍ程度の厚さに塗った場合で、20ｍＶの電圧を示した。これに対し、図６は手の甲の粘土の厚さを約２倍（４〜５ｍｍ）にした場合で、電圧は約３倍の60ｍＶに上がった。
【００２５】
海シルト（泥灰岩）粒子の懸濁液を電気泳動すると還元性によりｐＨ10程度の塩基性となり、健康に良いとされるアルカリイオン水となる性質を有しており、これを応用した還元水製造装置に応用できる。また、紙の製造工程においては一般に一定量の粘土（カオリンなど）が使われているが、この海シルトの微細粒子を添加用粘土として用いると、荷電によりイオン発生効果を持つ壁紙などの建築素材を製造する事が出来る。すなわち、微細な粘土粒子は、西洋紙の素材として製造には欠かせないが、本発明の海シルトの微細な鉱物粒子は静電気を発生するので、この特徴を利用して陰イオンを放出する紙を製造する事が出来る。この紙を部屋の壁紙などに用いると、マイナスイオン発生効果により脱臭効果や空気清浄化が可能になる。
【００２６】
本発明は、沖縄本島南部に分布する泥灰岩（海シルト、クチャ）を単にそのまま素材とするのではなく、電気泳動で陽イオン交換性の高い微粒子部分を凝集させて分別、採取し、静電気特性を生かした製品を製造するものである。この性質は、過去に泥灰岩の特性としての民間伝承があったり、学術発表がなされた事はなく、この特性の応用による製品化がなされたことのない領域のものである。
【００２７】
すなわち、沖縄の泥灰岩を利用した化粧料やパック料の製造法（先行出願：特願2000−213718、特開2002−29924 、特願2003−278656）に止まらず、新しい電気化学的知見に基づく新たな応用法を開発したものである。
【００２８】
歯磨きも研磨剤の１種であるが、標準的な市販の歯磨きを基礎として、この歯磨きに本発明による海シルト（泥灰岩）の微細粒子を１％混合した歯磨きを製作し、更に比較する目的の対照群として石墨を１％添加して作られた歯磨き、備長炭の粉末を１％添加して作られた歯磨きの４種類について吸着性の比較試験をした。
【００２９】
試験方法は、浴室内の鏡のような落ちにくい汚れに対して、これらの歯磨きを塗布するだけで研磨をしない実験で比較した。図７は前記の４種の歯磨きの吸着実験をしている状態で、風呂場内の曇った鏡に歯磨きを塗布して吸着による清浄効果を比較している。（１）は、風呂場の汚れた鏡に塗布した状態、（２）は、表面を全く擦らず、シャワーを掛けて洗い流した状態、（３）は、洗浄後、室内の湯気で再結露した状態を、それぞれ示す。歯磨きの種類は、左からスタンダード（標準）、マリンシルト（海シルト）、石墨（石墨粉末）、炭（備長炭粉末）を各々１％標準に混入したものである。試験の結果、吸着洗浄効果は、マリンシルトすなわち海シルト入り歯磨きが一番きれいに汚れを吸着によって落とす事が証明でき、最も良い結果を示した。
【００３０】
更に、標準的な市販の歯磨きと、同歯磨きに海シルト（泥灰岩）を１％添加して製作した歯磨き、石墨を１％添加して作られた歯磨き、備長炭の粉末を１％添加して作られた歯磨きの４種類について、墨汁の吸着実験を行った。実験方法は、図８のように、別々の試験管に同じ墨汁液を同量づつ入れたものを準備し、これに前記４種類の歯磨きを等量づつ加えて混合し、吸着による液の透明化を比較した。まず、（１）のように、４本の試験管に墨汁液を等量づつ入れて準備してから、（２）のように、歯磨きを等量づつ溶いた液を加えて、混合した状態にする。添加した歯磨きの種類は、左からスタンダード（標準）、マリンシルト（海シルト）、石墨（石墨粉末）、炭（備長炭粉末）を各々１％標準に混入したものである。こうして静置し、５時間後の状態が（３）である。その結果、（３）から明らかなように、マリンシルトが最も高い透明度を示した。すなわち、明らかにマリンシルト（海シルト）を入れたものが一番早くて強い墨汁への吸着性を示して沈殿させ、透明化をさせた。
【００３１】
図１から図４は、電気泳動による粘土微細粒子の沈殿実験の様子であるのに対し、図９は電気泳動装置を設置したロート型沈殿槽の縦断面図である。この装置は量産化用であり、沈殿槽１の中の上側に陰極２を、下側に陽極３をそれぞれ配置し、直流電源に配線する。この沈殿槽１中に原料注入管４で槽底側に原料となる海シルト岩の水懸濁液を注入する。この原料は、５ミクロン以下の微細粒子をフィルターで濾過・分別してから用いる。この状態で、電気泳動法で陰極２と陽極３との間に電圧をかけ電流を流すと、マイナスに荷電している微細粒子が静電気による吸着作用で陽極３側に凝集されると共に沈降速度が速まる。こうして精製された超微細粒子は、底部のモーノポンプ５で製品取り出し口６に排出される。上層の水は排液口７から排水されるが、この際に同時に陰極側に泳動で集積する有機物などの異物と結合した部分も分離排出され、除去される。
【００３２】
５ミクロン以下の微細粒子原料は、フィルターによる濾過・分別法のほかに、粒子サイズによる沈降速度の違いを利用することもできる。図９の沈殿槽１の前段に原料採取用の沈殿槽１ａを設けて、矢印のように上下移動可能なな採取口８を設置し、沈殿槽１ａ中に原料海シルト岩の水懸濁液を入れておく。そして、粒子サイズのより小さな微細粒子を採取するには、採取口８を上側に移動させると、沈降できずに浮遊している上側の微細粒子がポンプアップされて、鎖線の原料注入管４ａで後段の沈殿槽１に移送され、電気泳動法による吸着凝集と異物の分離除去が行われる。なお、液面Ｌに浮遊している有機物などの異物は採取口８に吸入されないので、好都合である。
【００３３】
図１０は、図９の電気泳動式ロート状沈殿槽を用いて、島尻泥岩から微細粘土粒子を分別・精製する作業の工程をフローチャートで示したもので、まずステップＳ１のように、沖縄本島南部地域の特殊土壌とされる海シルト岩の粘土を数回洗浄した後の水懸濁液を用意する。次いで、ステップＳ２において、２００メッシュフィルターを用いて濾過し、１０〜２０ミクロン以下の微細粘土粒子を使用する。この微細粒子を、ステップＳ３において、図９のロート状沈殿槽にポンプで注入する。
【００３４】
そして静置すると、粒子の大きな粘土が沈殿するので、ステップＳ４のように１時間程度静置沈殿させてから、約５ミクロン以上の大粒子の粘土を下部から取り出す。そして、約５ミクロン未満の微細粒子の粘土が残った状態で、ステップＳ５のように、電気泳動装置の電極２、３間に電圧に通電する。その結果、約５ミクロン未満の微細粒子が電気的に吸引凝集され、かつ陽極３に引かれて沈殿する。したがって、粘土の超微細粒子の電気泳動による凝集・沈殿が短時間に効果的に行われる。ステップＳ６のように、翌日、下部からモーノポンプ５で取り出して、ステップＳ７で乾燥させると、鎮痛湿布薬や身体深部組織への静電気治療薬、還元水の製造、陰イオン発生用紙などの原料として使用可能となる。
【産業上の利用可能性】
【００３５】
以上のように、本発明によると粘土超微細粒子の電気泳動法による凝集・沈殿を効果的に行なって、電気特性にすぐれた海シルト（泥灰岩）粒子の原料を精製製造でき、鎮痛湿布薬や身体深部組織への静電気治療薬、還元水の製造、陰イオン発生用紙などの製造に供することができる。
【図面の簡単な説明】
【００３６】
【図１】図１から図４は、電気泳動による粘土微細粒子の沈殿実験の様子で、図１は通電開始前の状況である。
【図２】電気泳動開始１時間後の作用で沈殿が促進された粘土懸濁液の状況である。
【図３】電気泳動開始３時間後の粘土微細粒子の沈殿状況である。
【図４】電気泳動を停止後20時間後の粘土懸濁液の沈殿状況である。
【図５】手の甲に塗った粘土表面と手掌側間の電圧測定の様子で、粘度厚が１〜２ｍｍの場合である。
【図６】図５の測定において、粘度厚が４〜５ｍｍの場合である。
【図７】風呂場内の鏡面に歯磨きを塗って吸着実験している様子である。
【図８】墨汁の溶解水を入れた試験管に各種歯磨きを混ぜて吸着・浄化を試験している様子である。
【図９】電気泳動装置を設置したロート型沈殿槽の縦断面図である。
【図１０】ロート状沈殿槽を用いて微細粘土粒子の分別、精製作業を行なう工程のフローチャートである。
【符号の説明】
【００３７】
１  沈殿槽
２  陰極
３  陽極
４  原料注入管
５  モーノポンプ
６  製品取り出し口
７  排液口
８  採取口
Ｌ  液面
【図１】
2006225647.tif 000002
【図２】
2006225647.tif 000003
【図３】
2006225647.tif 000004
【図４】
2006225647.tif 000005
【図５】
2006225647.tif 000006
【図６】
2006225647.tif 000007
【図７】
2006225647.tif 000008
【図８】
2006225647.tif 000009
【図９】
2006225647.tif 000010
【図１０】
2006225647.tif 000011